(57)【要約】【課題】クロージャ筐体内に光ケーブル余長部を収納可能、かつ余長処理作業が容易、かつ構造が簡単な光クロージャを提供する。【解決手段】クロージャ筐体２内の連結棒３に概ね水平に固定したベース板１０の下面にクロージャ長手方向に間隔をあけて1対の巻付け用突出部１１を設け、両巻付け用突出部１１の中間に、両巻付け用突出部１１間に掛け渡して巻き付けた光ケーブル余長部１５ａを保持するためのホルダ１２を設け、ベース板１０の上面側に、主ケーブル１４から取り出し光コネクタ２５を取り付けた分岐ケーブル１４ａと光コネクタ付きの光ドロップケーブル１５とをコネクタ接続するための光コネクタ接続部１３を設ける。余長収納部２７を光コネクタ接続部１３とはベース板１０を挟んで別空間に存在させたという簡単な構造でもって、広い余長収納空間を確保でき、充分長い余長を収納できる。また、余長処理作業も容易である。【選択図】図１０
2008281711.tif 000002
【特許請求の範囲】
【請求項１】
クロージャ筐体内の連結棒に概ね水平に固定したベース板の下面にクロージャ長手方向に間隔をあけて1対の巻付け用突出部を設け、前記ベース板における両巻付け用突出部の中間に、両巻付け用突出部間に掛け渡して巻き付けた光ケーブル余長部を保持するためのホルダを設け、前記ベース板の上面側に、主ケーブルから取り出し光コネクタを取り付けた分岐ケーブルと光コネクタ付きの光ケーブルとをコネクタ接続するための光コネクタ接続部を設けたことを特徴とする光クロージャ。
【請求項２】
前記ホルダは、２つの巻付け用突出部間に掛け渡して巻き付けた光ケーブル余長部の往復のそれぞれの部分を保持するものであることを特徴とする請求項１記載の光クロージャ。
【請求項３】
前記光コネクタ接続部は、接続部収納トレイのクロージャ長手方向の中央近傍に横並びに配置された複数のコネクタアダプタからなることを特徴とする請求項１又は２記載の光クロージャ。
【請求項４】
前記巻付け用突出部を、円形断面若しくは半円形断面にするとともに、ベース板側の基部を小径としてその反対の先端側を大径としたことを特徴とする請求項１〜３記載の光クロージャ。
【請求項５】
前記１対の巻付け用突出部間の距離を調節可能にしたことを特徴とする請求項１〜４記載の光クロージャ。
【請求項６】
前記ベース板の両端にケーブル把持部を設けたことを特徴とする請求項１〜５記載の光クロージャ。
【請求項７】
主ケーブルから分岐した光ファイバの分岐点を収納する光クロージャであって、前記光クロージャ筐体内の長手方向両側には巻き付け用部材が配置され、主ケーブルから分岐した光ケーブルが前記巻き付け用部材に巻き付けられることにより、光ケーブルの余長が光クロージャ筐体内の長手方向に沿って収納されていることを特徴とする光クロージャ。
【発明の詳細な説明】
【技術分野】
【０００１】
この発明は、この発明は、光ファイバ接続部を筐体内に収納して保護する光クロージャに関し、特に光線路において光ドロップケーブルなどの光ケーブルを引き落とす箇所に用いて好適な光クロージャに関する。
【背景技術】
【０００２】
光線路に設ける光クロージャあるいは光配線箱等において、光ファイバの接続部に必要な光ファイバの余長を収納するための構造として種々の特許出願がなされている。
特許文献１（特開２００３−２２７９３９(光ファイバケーブルの余長収納機構)）は、光ファイバ長のバラツキに対応して、平面上に複数の余長ファイバトラツク(ファイバの通過ルート)を構成した構造である。余長ファイバトラツクは、外周形状が概略円形で底面が平坦である。
【０００３】
特許文献２（特開平９−２６９４２２(光ファイバ線の余長収納ケース)）は、光ファイバ心線に沿わせるように、余長の長さに応じて半径が異なる複数の円弧溝を形成した構造である。光ファイバ心線が円弧溝から外れないように蓋体を設けている。
【０００４】
特許文献３（特開２００２−２１４４４９(光ファイバ余長処理装置)）は、光伝送装置に接続される光ファイバの余長を処理するためのものであり、複数の円筒状余長処理部材を専用取付パネルに間隔をあけて取り付けた構造であるが、円筒状余長処理部材はパネルの中央に設けた長溝に嵌合しており、必要な取付箇所に向かって、長溝に沿って移動することができる。光ファイバの余長は２つの円筒状余長処理部材間に掛け渡して処理する。
【０００５】
特許文献４（特開２００４−１２６４７１(光ファイバの接続余長収納具及び収納方法)）は、光ファイバの余長を巻き付けるための第1巻き取り部・第1巻き取り空間（余長収納空間）、及び第２巻き取り部・第２巻き取り空間（余長収納空間）を有し、余長の長さに応じて、適切な巻き取り部及び巻き取り空間を選択する。第２巻取り部・第２巻取り空間は、２本の巻取り軸間に光ファイバを８の字形に巻き取ることができるようになっている。
【０００６】
特許文献５（特開平９−２１１２３６(余長収納箱)）は、中央に２箇所の接続部固定部（仕切り片による配列部）を有し、２箇所の接続固定部の間に光ファイバ余長部の弛みを調整するサブガイドを設けた構造である。
【０００７】
特許文献６（特開平９−１０５８２０(余長収納ケース)）は、コネクタ接続部を有する余長収納ケースであるが、ケース本体の中央のコネクタ接続部とその両側の余長収納部とが区画板で仕切られて分離されている。
【０００８】
特許文献７（特開２００４−３２５９９８(光ドロップケーブルの接続部及び接続方法)は、円筒状の保護スリーブ（クロージャ筐体）内に配した円筒状ガイド内に光ドロップケーブルの接続部を収容するとともに、光ドロップケーブルの接続余長を前記円筒状ガイドの外周に螺旋状に巻き付ける構造である。
【０００９】
特に、光ドロップケーブルを引き落とす箇所の光クロージャにおける従来のドロップケーブル余長収納構造としては、ドロップケーブル余長をクロージャ筐体から引き出し、筐体外で適宜巻回して支持線で保持する等の簡単な方法も一般的である。
【特許文献１】特開２００３−２２７９３９(光ファイバケーブルの余長収納機構)
【特許文献２】特開平９−２６９４２２(光ファイバ線の余長収納ケース)
【特許文献３】特開２００２−２１４４４９(光ファイバ余長処理装置)
【特許文献４】特開２００４−１２６４７１(光ファイバの接続余長収納具・・)
【特許文献５】特開平９−２１１２３６(余長収納箱)
【特許文献６】特開平９−１０５８２０(余長収納ケース)
【特許文献７】特開２００４−３２５９９８(光ドロップケーブルの接続部・・)
【発明の開示】
【発明が解決しようとする課題】
【００１０】
特許文献１では底面の適宜箇所に複数本のガイドピン（ファイバガイド体）を立設することで、また、特許文献２では底面に円弧状壁部を設けることで、それぞれ光ファイバのルートを規制するものであって、余長収納を上面から行うものであるが、特別なファイバ浮き上がり防止部を設けるか、あるいは蓋を設けるかしなければ、余長の外れ防止を図ることができず、煩雑な構造となる。また、決められたルートに収納する構造では、細い光ファイバ心線でなく光ドロップケーブルに適用した場合、充分長い余長を収納することは難しい。
【００１１】
特許文献３の余長収納構造は、光伝送装置の外部に設けるものであるが、これを光クロージャに適用してクロージャ筐体の外部にこのような構造を設けるのは、構造が複雑になって好ましくない。また、収納した余長を固定するための適宜な手段がない。
【００１２】
特許文献４の余長収納構造は、余長収納空間が複数に別れているために構造が複雑となる。
特許文献５の余長収納構造は、光ドロップケーブルの接続余長を収納する場合には採用できない。
特許文献６の余長収納構造は、余長収納部とコネクタ接続部とが並ぶ形で分離されているため、広いスペースを占めるとともに、構造が複雑である。
【００１３】
また、特許文献１、２、４、６の余長収納構造では、余長処理に細かい作業が必要であり、光ドロップケーブルの余長処理のような架空の接続現場に採用するには不適当である。
また、細い光ファイバ心線でなく太い光ドロップケーブルを収納する構造として適切とは言えない。
【００１４】
特許文献７の余長収納構造は、接続余長を保護スリーブ内で円筒状ガイドの外周に螺旋状に巻き付けるもので、構造は極めて簡単ではあるが、収納可能な余長の長さが短く限定される。また、光ドロップケーブルの本数が多い場合に充分対応可能な構造とは言い難い。
【００１５】
また、ドロップケーブル余長をクロージャ筐体外で適宜巻回して支持線で保持する従来方法は、簡便ではあるが、ドロップケーブル余長をクロージャ筐体の外に放置するのは外観的にも好ましくないので、クロージャ筐体内に収めることが望ましい。
【００１６】
本発明は上記事情に鑑みてなされたもので、光コネクタ付きケーブルの余長を収納可能な光クロージャとして、構造が簡単であり、広いスペースを占めることがなく、余長処理作業が容易であり、収納した余長を安定した状態で保持することができる光クロージャを提供することを目的とする。
【課題を解決するための手段】
【００１７】
上記課題を解決する請求項１の発明の光クロージャは、クロージャ筐体内の連結棒に概ね水平に固定したベース板の下面にクロージャ長手方向に間隔をあけて1対の巻付け用突出部を設け、前記ベース板における両巻付け用突出部の中間に、両巻付け用突出部間に掛け渡して巻き付けた光ケーブル余長部を保持するためのホルダを設け、前記ベース板の上面側に、主ケーブルから取り出し光コネクタを取り付けた分岐ケーブルと光コネクタ付きの光ケーブルとをコネクタ接続するための光コネクタ接続部を設けたことを特徴とする。
【００１８】
請求項２は、請求項１の光クロージャにおいて、ホルダが、２つの巻付け用突出部間に掛け渡して巻き付けた光ケーブル余長部の往復のそれぞれの部分を保持するものであることを特徴とする。
【００１９】
請求項３は、請求項１又は２の光クロージャにおいて、光コネクタ接続部が、接続部収納トレイのクロージャ長手方向の中央近傍に横並びに配置された複数のコネクタアダプタからなることを特徴とする。
【００２０】
請求項４は、請求項１〜３の光クロージャにおいて、巻付け用突出部を、円形断面若しくは半円形断面にするとともに、ベース板側の基部を小径としてその反対の先端側を大径としたことを特徴とする。
【００２１】
請求項５は、請求項１〜４の光クロージャにおいて、１対の巻付け用突出部間の距離を調節可能にしたことを特徴とする。
【００２２】
請求項６は、請求項１〜５の光クロージャにおいて、ベース板の両端にケーブル把持部を設けたことを特徴とする。
【００２３】
請求項７の発明は、主ケーブルから分岐した光ファイバの分岐点を収納する光クロージャであって、
前記光クロージャ筐体内の長手方向両側には巻き付け用部材が配置され、主ケーブルから分岐した光ケーブルが前記巻き付け用部材に巻き付けられることにより、光ケーブルの余長が光クロージャ筐体内の長手方向に沿って収納されていることを特徴とする。
【発明の効果】
【００２４】
本発明における光ケーブル余長収納は、光ケーブル余長部を1対の巻付け用突出部間に掛け渡して巻き付けるものなので、充分長い余長を収納することができる。
また、光ファイバを特許文献１、２等のような決められたルートに収納する収納構造と比較して、太い光ケーブルでも充分長い余長を収納することができる。
光ケーブル余長部が筐体底面に面するベース板の下面に設けられているが、筐体底面との間に広い空間を確保することは容易なので、広い余長収納空間を確保することができ、この点でも光クロージャ内に充分長いケーブル余長を収納することができる。
余長収納部が光コネクタ接続部とはベース板を挟んで別空間に存在するという点でも、広い余長収納空間を確保することができる構造となっており、この点でも光クロージャ内に充分長い光ケーブル余長を収納することができる。
上記のように広い余長収納空間を確保できるものであるが、ルートが規定される等の複雑な構造のものと異なりその空間は余長収納空間として無駄なく使われるので効率的な余長収納が可能であり、したがって、同じ余長収納長さで比較した場合、従来の各構造と比較して、広いスペースを占めないということができる。
【００２５】
光ケーブル余長収納構造として、筐体底面に面してベース板を設けこれに１対の巻付け用突出部を設けるという単純な構成であり、特許文献１〜６の各構造と比較して極めて構造が簡単である。
【００２６】
余長処理は、一対の巻付け用突出部に掛け渡して巻き付けるものであるから、その余長処理作業は極めて簡単かつ容易であり、架空の接続現場となる例えば光ドロップケーブル引落し箇所に設置する光クロージャとして極めてふさわしい構造である。また、光コネクタ接続部とは別空間であり単に余長収納空間が存在するだけの場所に余長を収納することができるから、この点でも余長処理作業が容易である。
【００２７】
請求項５のように巻付け用突出部の形状を、円形断面若しくは半円形断面にするとともに先端側を大径とすれば、特許文献１、２等のように特別なファイバ浮き上がり防止部は蓋を設ける等することなく、極めて簡単な構造で、余長の外れ防止を図ることができ、収納した余長を安定した状態で保持することができる。
【００２８】
本発明の構成によって、上記のように充分長い光ケーブル余長を確保することが可能となり、かつ、その余長処理が容易なので、光ケーブル余長を支持線上で処理放置することなく、光クロージャ内に収納することが可能となったものである。
【００２９】
請求項７の光クロージャによれば、光クロージャ内にて、光クロージャの長手方向全体を余長配線領域として使えるから、余長収容長が増大し、しかも余長の絡みが少なくなるという利点が生ずる。
【発明を実施するための最良の形態】
【００３０】
以下、本発明を実施した光クロージャついて、図面を参照して説明する。
【実施例１】
【００３１】
図１は本発明の一実施例の光クロージャ１の内部構造を示す側面図、図２は図１の光クロージャ１におけるベース板部分を下面から見た拡大図、図３は図１における接続部収納トレイ１８を上面から見た拡大図である。図４は上記光クロージャ１を実際に製作する場合の一例としての具体的な詳細外観を示す斜視図、図５は図４の要部拡大図、図８は図４の光クロージャを異なる方向から見た斜視図、図９は図８の光クロージャをやや下方側から見た斜視図である。また、図１０は図１の光クロージャを使用状態で示した図、図１１は図２を使用状態で示した図、図１２は図３を使用状態で示した図である。
【００３２】
これらの図において、クロージャ筐体２を２点鎖線で示す。クロージャ筐体２内にクロージャ長手方向に延びる連結棒３が設けられ、この連結棒３の両端にケーブル把持金具４が上向きに垂直に固定され、ケーブル把持金具４の上端部からアーム５が外向きに固定され、アーム５の先端に吊り金具６が取り付けられている。また、アーム５に端面板７が取り付けられている。端面板７はクロージャ筐体２の両端開口を封止する。両側の吊り金具６がそれぞれ支持線８に取り付けられて、光クロージャ１が支持線８に取り付けられる。
【００３３】
前記連結棒３にベース板１０を水平に固定し、このベース板１０の下面に、図２にも示すように、クロージャ長手方向に間隔をあけて1対の巻付け用突出部１１を設けている。また、ベース板１０における両巻付け用突出部１１の中間に、両巻付け用突出部１１間に掛け渡して巻き付けたドロップケーブル余長部１５ａを保持するためのホルダ１２を設けている。
一方、ベース板１０の上面側に、光コネクタ接続部１３を収納した接続部収納トレイ１８を図示例では２層に積層配置している。
【００３４】
前記の各巻付け用突出部１１は円形断面形状をなし、ベース板１０側の基部が小径で、その反対の先端側が次第に径が増大する態様で大径にされている。これにより、この巻付け用突出部１１に巻き掛けたドロップケーブル余長部１５ａの外れ防止が図られる。
前記ホルダ１２は、樹脂製であり、２つの巻付け用突出部１１間に掛け渡して巻き付けたドロップケーブル余長部１５ａの往復のそれぞれの部分を保持するようにベース板幅方向（図２で上下方向）に並べて２つ設けられている。各ホルダ１２は、図５及び図６に示すように、ベース板幅方向中央側に薄肉ヒンジ部１２ｂを持ちその反対側に爪部１２ｃを持つコ字形のホルダ本体１２ａと、ベース板１０側に固定されて前記ホルダ本体１２ａの爪部１２ｃを係止させる係止部１２ｄとからなっている。この構造により、多数本のドロップケーブル余長部１５ａの束を簡単に保持することができる。
【００３５】
ベース板１０は概ね長方形状をなし、その両端にドロップケーブル把持部１７が設けられている。このドロップケーブル把持部１７は、図７にも示すように、間隔をあけて設けた複数の保持リブ１７ａにより光ドロップケーブル１５を嵌合させる溝１７ｂを形成して、その溝１７ｂに光ドロップケーブル１５を嵌合させて保持する構造である。保持リブ１７ａは単なる平行板状のガイド部１７ａ’と、爪を持つ嵌合部１７ａ”とからなる。
【００３６】
前記接続部収納トレイ１８は、ベース板１０と概ね同程度の長さと幅とを有し両端部が半円形の底板１８ａを持ち、幅方向両側に壁部１８ｂを持つ。また、両端部の中央に矩形の切欠き１８ｄを持つ。接続部収納トレイ１８のクロージャ長手方向の中央近傍に図示例では光コネクタ接続部１３を構成する４つのコネクタアダプタ１９を横並びに配置している。コネクタアダプタ１９は、接続部収納トレイ１８の底板１８ａに一体に又は別部材接着にて設けたアダプタ取付部１８ｃの溝に嵌合する態様で取り付けられている。最上段の接続部収納トレイ１８には蓋が設けられている。
接続部収納トレイ１８を受ける受け台２１は連結棒３に固定されている。図示例の受け台２１は接続部収納トレイ幅方向に片持ち状に延出する複数本のブラケット２１ａを持つ。積層した接続部収納トレイ１８は２箇所のブラケット２１ａにおいてトレイバンド２２で締め付け固定される。
【００３７】
上記の光クロージャ１において、光ドロップケーブル１５を住戸に引き落とす場合、主ケーブル１４から取り出した分岐ケーブル１４ａに光コネクタ２５を取り付け、この光コネクタ２５と光コネクタ付き光ドロップケーブル１５の光コネクタ２６とを接続部収納トレイ１８内に導き、光コネクタアダプタ１９にそれぞれ差し込んで互いに光接続する。
光ドロップケーブル１５の余長部１５ａは、ベース板１０の下面側に導き、1対の巻付け用突出部１１間に掛け渡して巻き付ける。両巻付け用突出部１１間に巻き付けられたドロップケーブル余長部１５ａの往復のそれぞれの束（図１１では線が混雑して不明にならないように1本の余長のみを、かつ、１巻きのみとして示した）をホルダ１２にて保持する。その際、ヒンジ１２ｂにより開閉可能なホルダ１２を開いた状態で余長の束を配しホルダ１２を閉ざして余長を保持する。次いで、光ドロップケーブル１５を端面板７からクロージャ筐体２の外部に取り出す。
【００３８】
上記のようにドロップケーブル余長収納は、ドロップケーブル余長部１５ａを1対の巻付け用突出部１１間に掛け渡して巻き付けるものなので、充分長い余長を収納することができる。余長収納長さは巻付け用突出部１１間に巻き付ける巻付け回数で調整できる。
また、光ファイバを特許文献１、２等のような決められたルートに収納する収納構造と比較して、太い光ドロップケーブルでも充分長い余長を収納することができる。
ドロップケーブル余長部が筐体底面２ａに面するベース板１０の下面に設けられているが、筐体底面２aとの間に広い空間を確保することは容易なので、広い余長収納空間を確保することができ、この点でも光クロージャ内に充分長いドロップケーブル余長を収納することができる。
余長収納部（ベース板１０の下面側部分）２７が光コネクタ接続部１３を収納した接続部収納トレイ１８とはベース板１０を挟んで別空間に存在するという点でも、広い余長収納空間を確保することができる構造となっており、この点でもクロージャ筐体２内に充分長いドロップケーブル余長１５ａを収納することができる。
上記のように広い余長収納空間を確保できるものであるが、ルートが規定される等の複雑な構造のものと異なりその空間は余長収納空間として無駄なく使われるので効率的な余長収納が可能であり、したがって、同じ余長収納長さで比較した場合、従来の各構造と比較して、広いスペースを占めないということができる。
【００３９】
また、この光クロージャ１における余長収納構造は、筐体底面２ａに面してベース板１０を設けこれに１対の巻付け用突出部１１を設けるという単純な構成であり、特許文献１〜６の各構造と比較して極めて構造が簡単である。
【００４０】
余長処理は、一対の巻付け用突出部１１に掛け渡して巻き付けるものであるから、その余長処理作業は極めて簡単かつ容易であり、架空の接続現場となる光ドロップケーブル引落し箇所に設置する光クロージャとして極めてふさわしい構造である。また、光コネクタ接続部とは別空間であり単に余長収納空間が存在するだけの場所に余長を収納することができるから、この点でも余長処理作業が容易である。
【００４１】
本発明の光クロージャは、上述の実施例に限らず、光クロージャ筐体内の長手方向両側に巻き付け用部材が配置され、主ケーブルから分岐した光ケーブルが前記巻き付け用部材に巻き付けらることにより、光ケーブルの余長が光クロージャ筐体内の長手方向に沿って収納されるものであればよい。
【実施例２】
【００４２】
図１３に示した実施例は、ベース板１０の下面に設ける１対の巻付け用突出部１１’間の距離を調節可能にしたものである。図示例の距離調節手段３０は、ベース板１０にベース板長手方向の溝部材３１を固定し、この溝部材３１の溝３１ａ内にベース板長手方向に摺動可能に嵌合する抜け止め膨大部３２ａを持つネジ棒３２を巻付け用突出部１１の中心に通し、ネジ棒３２に蝶ナット３３を螺合させたものである。
図示例では、両側の巻付け用突出部１１’をいずれも移動調節可能にしているが、一方のみを移動調整可能にし他方は固定としてもよい。
距離調節手段は図示例のものに限らず、種々の構造を採用できる。例えば、図１３において、溝部材３１に代えて、単にベース板１０にスリットを設けてもよい。
【００４３】
上記のように距離調節手段３０を設けることにより、巻付け用突出部１１間への巻付け回数の調整と相俟って、適切な余長収納長さを設定することができる。
【実施例３】
【００４４】
図１４に示した実施例は、ベース板１０の下面に設ける１対の巻付け用突出部１１”を、円形断面でなく概ね半円形断面にしたものである。間隔をあけて２つの巻付け用突出部間に光ドロップケーブル１５を巻き掛けるには、外側面が使われるだけなので、半円形断面で機能上問題はない。また、半円形断面の部材ではなく、円弧形部材を用いてもよい。
本発明における巻付け用突出部は、図示は省略するが、例えば、ベース板１０に複数本のピンを半円形をなすような配置で立設したものでもよく、あるいは、その他種々の構造を採用できる。
なお、上述の各実施例では光ドロップケーブルの余長収納について述べたが、光ドロップケーブルに限定されない。
【図面の簡単な説明】
【００４５】
【図１】本発明の一実施例の光クロージャの内部構造を示す側面図である。
【図２】上記光クロージャにおけるベース板部分を下面から見た拡大図である。
【図３】上記光クロージャにおける、光コネクタ接続部を収納した接続部収納トレイを上面から見た拡大図である。
【図４】上記光クロージャを実際に製作する場合の具体的な詳細外観を示す斜視図である。
【図５】図４の要部拡大図である。
【図６】図５におけるホルダ部の拡大図である。
【図７】図５における光ドロップケーブル把持部の拡大図である。
【図８】図４の光クロージャを異なる方向から見た斜視図である。
【図９】図８の光クロージャをやや下方側から見た斜視図である。
【図１０】図１において主ケーブル及びドロップケーブル余長部が収容された使用状態を示す図である。
【図１１】図２においてドロップケーブル余長部が収容された使用状態を示す図である。
【図１２】図３において光コネクタ付き分岐ケーブルと光コネクタ付き光ドロップケーブルとがコネクタ接続された使用状態を示す図である。
【図１３】ベース板上の２つの巻付け用突出部間の距離を移動調節可能にした実施例を示すもので、（イ）は図１１に相当する図、（ロ）は（イ）のＡ−Ａ拡大断面図である。
【図１４】ベース板上の巻付け用突出部の形状につての他の実施例を示すもので、図１１に相当する図である。
【符号の説明】
【００４６】
１  光クロージャ
２  クロージャ筐体
２ａ  筐体底面
３  連結棒
４  ケーブル把持金具
５  アーム
６  吊り金具
７  端面板
８  支持線
１０  ベース板
１１、１１’、１１”  巻付け用突出部
１２  ホルダ
１２ａ  ホルダ本体
１２ｂ  薄肉ヒンジ部
１２ｃ  爪部
１２ｄ  係止部
１３  光コネクタ接続部
１４  主ケーブル
１４ａ  分岐ケーブル
１５  光ドロップケーブル（光ケーブル）
１５ａ  ドロップケーブル余長部（光ケーブル余長部）
１７  ドロップケーブル把持部
１７ａ  保持リブ
１７ａ’  ガイド部
１７ａ”  嵌合部
１７ｂ  溝
１８    接続部収納トレイ
１８ａ  底板
１８ｂ  壁部
１８ｃ  アダプタ取付部
１８ｄ  切欠き
１９  コネクタアダプタ
２０  蓋
２１  トレイ台
２１ａ  ブラケット
２２  トレイバンド
２５  （分岐ケーブルの）光コネクタ
２６  （光コネクタ付き光ドロップケーブルの）光コネクタ
２７  余長収納部
３０  距離調節手段
３１  溝部材
３１ａ  溝
３２  ネジ棒
３２ａ  抜け止め膨大部
３３  蝶ナット
【図１】
2008281711.tif 000003
【図２】
2008281711.tif 000004
【図３】
2008281711.tif 000005
【図４】
2008281711.tif 000006
【図５】
2008281711.tif 000007
【図６】
2008281711.tif 000008
【図７】
2008281711.tif 000009
【図８】
2008281711.tif 000010
【図９】
2008281711.tif 000011
【図１０】
2008281711.tif 000012
【図１１】
2008281711.tif 000013
【図１２】
2008281711.tif 000014
【図１３】
2008281711.tif 000015
【図１４】
2008281711.tif 000016